(57)【要約】【課題】蓋の内側面に保冷体を収納する箇所を設けた紙箱であって、さらに、極めて簡単に保冷体を収納することが出来る紙箱を提供する。【解決手段】開閉自在な蓋を有する直方体形状の紙箱において、紙箱Ａの後側板１の上端縁に折り目を介して天板補助板２を一体に設け、当該天板補助板２の自由端から折り目を介して折り込み板３を設け、当該折り込み板３を折り目により折り返して前記天板補助板２の下面に折り返して重ねて形成し、当該天板補助板２と折り込み板３の一部を貼着して当該紙箱Ａの蓋を形成し、前記天板補助板２と折り込み板３のうち、下方の折り込み板３に逆Ｕ字型の切り込みを入れて当該逆Ｕ字型の切り込みを開口部として天板補助板２と折り込み板３の係止されていない間に、保冷体Ｂを挿入、挟持自在な保冷体収納部２２を設けた。【選択図】図１
0003140299.tif 000002
【実用新案登録請求の範囲】
【請求項１】
開閉自在な蓋を有する直方体形状の紙箱において、
前記蓋は少なくともその一部が二枚の板体を重ねて、重ねた一部を係止して形成し、
前記蓋の二枚の板体のうち、下方の板体に切り込みを入れて当該切り込みを開口部として二枚の板体の係止されていない間に、保冷体を挿入、挟持自在な保冷体収納部を設けたことを特徴とする、保冷体収納部付紙箱。
【請求項２】
前記切り込みが逆Ｕ字型であり、当該逆Ｕ字型の切り込みに囲まれた板片と蓋の二枚の板片のうちの上方の板体との間を保冷体収納部としたことを特徴とする、前記請求項１の保冷体収納部付紙箱。
【請求項３】
前記蓋の二枚の板体は、一方の板体を紙箱の後側板の上端縁に折り目を介して一体に設け、他方の板体は当該一方の板体の自由端から当該一方の板体の下面に折り返して重ねて形成したことを特徴とする、前記請求項１又は２に記載の保冷体収納部付紙箱。
【請求項４】
前記蓋は、紙箱本体と別体となっていることを特徴とする、前記請求項１又は２に記載の保冷体収納部付紙箱。
【請求項５】
前記蓋の二枚の板体を重ねた一部の係止は、貼着によることを特徴とする、前記請求項１、２、３又は４の何れかに記載の保冷体収納部付紙箱。
【請求項６】
前記蓋の二枚の板体を重ねた一部の係止は、蓋の外周に設けた折り込み縁の折り込み係合によることを特徴とする、前記請求項１、２、３又は４の何れかに記載の保冷体収納部付紙箱。
【考案の詳細な説明】
【技術分野】
【０００１】
この考案は、洋菓子店等において、菓子やその他の食品等の持ち運びに使用される組立て自在な紙箱に関するものであって、特に、当該紙箱内部の温度の上昇を防ぐ保冷体を収納する箇所を設けた保冷体収納部付紙箱に関するものである。
【背景技術】
【０００２】
従来、洋菓子店において、ケーキなどの生菓子を販売する際、持ち運びに便利な紙製の組立て箱を使用している。この様な組立て紙箱においては、気温が上がる夏場はもちろん、昨今では、冬であっても、多くの場所で暖房が行われているため、生ものであるケーキ等の生菓子が傷まないように、当該紙箱内に保冷体を収納するスペースを設け、当該スペースに保冷体を入れて、当該紙箱内の温度が上昇するのを防ぐようにしている。
【０００３】
前記保冷体の収納スペースは収納物に邪魔にならず、かつ保冷体が前記スペースから脱落しないようにしなければならない。また、冷気は下方へ行くため、紙箱の上部に設けたほうが効率が良い。
【０００４】
この様な紙箱として、後側板の上端縁に折り目を介して開閉自在な天板を設け、前側板の上端縁に折り目を介して内側天板を設け、当該内側天板を紙箱の開口部方向に折り込んで左右側板の上端に設けた水平な折り込み片で支持して当該開口部を塞ぎ、当該内側天板上に保冷体を載置し、その後、前記天板を折り込んで当該紙箱を閉じるというものがある。
【特許文献１】特開２００７−１８６２１８号公報
【考案の開示】
【考案が解決しようとする課題】
【０００５】
しかしながら、前記紙箱では、天板の他に内側天板を設けるものであり、紙箱の製造段階、さらに、紙箱の組立て時に内側天板が無い紙箱と比較して、手間がかかる。出来るならば、これらの手間のかからない構成が望まれる。
【０００６】
この考案は、この様な状況に鑑みて行われたもので、蓋の内側面に保冷体を収納する箇所を設けた紙箱であって、さらに、極めて簡単に保冷体を収納することが出来る紙箱を提供して前記課題を解決するものである。
【課題を解決するための手段】
【０００７】
請求項１の考案は、開閉自在な蓋を有する直方体形状の紙箱において、前記蓋は少なくともその一部が二枚の板体を重ねて、重ねた一部を係止して形成し、前記蓋の二枚の板体のうち、下方の板体に切り込みを入れて当該切り込みを開口部として二枚の板体の係止されていない間に、保冷体を挿入、挟持自在な保冷体収納部を設けた保冷体収納部付紙箱とした。
【０００８】
請求項２の考案は、前記切り込みが逆Ｕ字型であり、当該逆Ｕ字型の切り込みに囲まれた板片と蓋の二枚の板片のうちの上方の板体との間を保冷体収納部とした前記請求項１の保冷体収納部付紙箱とした。
【０００９】
請求項３の考案は、前記蓋の二枚の板体は、一方の板体を紙箱の後側板の上端縁に折り目を介して一体に設け、他方の板体は当該一方の板体の自由端から当該一方の板体の下面に折り返して重ねて形成した前記請求項１又は２に記載の保冷体収納部付紙箱とした。
【００１０】
請求項４の考案は、前記蓋は、紙箱本体と別体となっている前記請求項１又は２に記載の保冷体収納部付紙箱とした。請求項５の考案は、前記蓋の二枚の板体を重ねた一部の係止は、貼着による前記請求項１、２、３又は４の何れかに記載の保冷体収納部付紙箱とした。また、請求項６の考案は、前記蓋の二枚の板体を重ねた一部の係止は、蓋の外周に設けた折り込み縁の折り込み係合による前記請求項１、２、３又は４の何れかに記載の保冷体収納部付紙箱とした。
【考案の効果】
【００１１】
請求項１の考案によれば、蓋の下方の板体に切り込みを入れて保冷体収納部を設けたので、挿入、挟持された保冷体が紙箱内部の商品等に邪魔にならず、当該保冷体を確実に保持することが出来、この保冷体収納部から保冷体が脱落し難い。また、保冷体を蓋の下面の板体に配置するので、冷気が紙箱の下方へおりて紙箱内をより効果的に保冷することが出来る。
【００１２】
さらに、紙箱の蓋の下方の板体に保冷体収納部を設けることも、当該下方の板体に切り込みを入れるだけで簡単に出来、当該保冷体収納部に保冷体を挟持するのも、手早く、簡単に出来、商品等を収納する紙箱として、使い勝手のよいものである。
【００１３】
請求項２の考案によれば、前記切り込みが逆Ｕ字型であり、当該逆Ｕ字型の切り込みに囲まれた板片と蓋の二枚の板片のうちの上方の板体との間を保冷体収納部としたので、保冷体収納部を大きく開くことが出来、保冷体を入れ易く、また、切り込みによって形成した板片は一側が板体と繋がっており、当該保冷体収納部内に挿入された保冷体を紙の弾性力によって挟持し、保冷体収納部の入り口を大きく取りながらも保冷体を確実に挟持することが出来る。
【００１４】
請求項３の考案によれば、前記蓋の二枚の板体は、一体に設け、これらを折り返して重ねて設けたので、蓋を閉じる際、当該蓋を探すことが無く、素早く閉じることが出来、便利である。また、請求項４の考案によれば、前記紙箱の蓋と紙箱本体とを別体に設けたので、当該紙箱の内部に商品等を収納する際に、蓋が邪魔にならず、使い勝手の良いものである。
【００１５】
請求項５の考案によれば、前記蓋の二枚の板体を重ねた一部の係止を貼着により行ったので、強固に蓋を形成することが出来、保冷体収納部に保冷体をより確実に挿入、挟持出来るもので有る。また、請求項６の考案によれば、前記蓋の二枚の板体を重ねた一部の係止は、蓋の外周に設けた折り込み縁の折り込み係合により行ったので、強固に蓋を形成することが出来、保冷体収納部に保冷体をより確実に挿入、挟持出来るもので有る。
【考案を実施するための最良の形態】
【００１６】
開閉自在な蓋を有する直方体形状の紙箱において、前記蓋は少なくともその一部が二枚の板体を重ねて、重ねた一部を係止して形成し、前記蓋の二枚の板体のうち、下方の板体に切り込みを入れて当該切り込みを開口部として二枚の板体の係止されていない間に、保冷体を挿入、挟持自在な保冷体収納部を設けた。
【００１７】
これにより、挿入、挟持された保冷体が紙箱内部の収納物に邪魔にならず、当該保冷体を確実に保持することが出来、この保冷体収納部から保冷体が脱落し難い。また、保冷体を蓋の下面の板体に配置するので、冷気が紙箱の下方へおりて紙箱内をより効果的に保冷することが出来る。
【実施例１】
【００１８】
以下、この考案の実施例を図に基づいて説明する。
図１は、この考案の実施例１の保冷体収納部付紙箱の天板を開け、横長に逆Ｕ字型の切り込みによって形成した保冷体収納部に保冷体を挿入、挟持した状態の斜視図である。図２は、同保冷体収納部付紙箱の展開図である。図３は、同保冷体収納部付紙箱の天板を開けた状態の斜視図である。
【００１９】
この実施例の組立て紙箱Ａを説明する。
図２に示すように、長方形状の後側板１の上端縁に折り目ａを介して長方形状の天板補助板２を設け、当該天板補助板２の上端縁に折り目ｂを介して、当該天板補助板２とほぼ同形同大の折り込み板３を設け、当該折り込み板３の略中央部に、横長にＵ字型の切り込みを設け、この切り込みに囲まれた箇所によって板片４を形成し、この板片４上に二つの透孔５を並設している。
【００２０】
また、この板片４の端縁の中央に半円形状の切り欠き６を設け、後述する前記板片４を起こす際に指を係止する箇所としている。また、前記折り目ｂの中央から、前記折り込み板３上に、逆Ｕ字型に横長の切り込みを設けて、当該切り込みに囲まれた箇所を起こして折り込み舌片７を設けている。
【００２１】
前記後側板１の左端縁に折り目ｃを介して貼着片８を設け、当該後側板１の下端縁に折り目ｄを介して、下端縁の略中央に台形状の切り欠きを設けた略四角形状の底片９を設けている。また、この底片９の台形状の切り欠きの右側の頂点から前記後側板の右側下側の角部を結ぶ直線に折り目ｅを設けている。
【００２２】
前記後側板１の右端縁に折り目ｆを介して長方形状の右側板１０を設け、この右側板１０の上端縁に折り目ｇを介して折り込み舌片１１を設け、この右側板１０の下端縁に折り目ｈを介して逆台形状の底片１２を設けている。
【００２３】
前記右側板１０の右端縁に折り目ｉを介して、前記後側板１と同形同大の前側板１３を設け、当該前側板１３の上端縁に折り目ｊを介して折り込み舌片１４を設け、前記折り目ｊの中央に横長の切り込み１５を設け、前記前側板１３の下端縁に折り目ｋを介して前記底片９と同形状の底片１６、折り目ｍを設けている。
【００２４】
前記前側板１３の右端縁に折り目ｎを介して、前記右側板１０と同形同大の左側板１７を設け、この左側板１７の上端縁に折り目ｏを介して折り込み舌片１８を設け、この左側板１７の下端縁に折り目ｐを介して前記底片１２と同形同大の逆台形状の底片１９を設けている。
【００２５】
次に、この紙箱Ａを組み立てる。まず、最初に折り込み板３を折り目ｂにより天板補助板２上に折り込んで、当該天板補助板２及び折り込み板３の内側部分の二箇所（図２の斜線部分）を貼着して天板２０（図１及び図３を参照）を形成する。これにより、折り込み板３の切り込みは、横長の逆Ｕ字型となる。
【００２６】
貼着片８、後側板１、右側板１０、前側板１３及び左側板１７を各折り目ｃ、ｆ、ｉ及びｎで折り込んで角筒状にして、貼着片８を左側板１７の内面に貼着し、さらに、底片９、１２、１６及び１９を各折り目ｄ、ｈ、ｋ及びｐで内側に折り込んで底片９、１２、１６及び１９を係合させて組み合わせ、底片９の折り目ｅから端縁側部分の内面を底片１２の外面に貼着し、同様に底片１６の折り目ｍから端縁側部分の内面を底片１９の外面に貼着して底板２１（図１及び図３を参照）を形成する。
【００２７】
続いて、各折り込み舌片１１、１４、１８を折り目ｇ、ｊ、ｏにより、図１及び図３に示すように、紙箱Ａの内側に折り込み、前記折り込み板３の切り欠き６に指を入れて板片４を開くことにより形成された保冷体収納部２２の中に、保冷体Ｂを挿入、挟持し、前記折り込み舌片７を起こして、天板２０を倒し、前記折り込み舌片７を前記切り込み１５に差し入れて係止する。
【００２８】
また、この組立てられた紙箱Ａは、天板２０を開けた状態で、底片９、１２、１６、１９を折り目ｄ、ｈ、ｋ、ｐで折り上げ、さらに、折り目ｅ、ｍで折り込み、同時に、折り目ｆとｎを結ぶ対角線を境にして、紙箱Ａ全体を折り込むことによって、この紙箱全体を扁平に折り畳むことが出来る。
【００２９】
前記実施例１では、保冷体収納部２２を、前記折り込み板３の略中央部に、横長に逆Ｕ字型の切り込みを設けて形成しているが、図８に示すように、単に、折り込み板の略中央に水平な切り込み４４を入れて、当該切り込み４４を開口部として貼着されていない天板補助板２と折り込み板３との間に、保冷体収納部４５を形成したものでもよい。他の構成は、前記実施例１と同様である。また、この図８に示すほか、切り込みを入れて保冷体収納部を形成出来るものならば、他の形状のものでももちろん良い。
【００３０】
また、前記実施例１では、紙箱Ａの天板２０と天板２０以外の紙箱本体部分を一体とし、組み立て紙箱として設けたが、この考案としては、一体でなくとも良く、また、組み立て紙箱に限らない。  
【実施例２】
【００３１】
実施例２について説明する。
図４は、この考案の実施例２の保冷体収納部付紙箱の蓋を開け、切り込みによって形成した保冷体収納部に保冷体を挿入、挟持した状態の斜視図である。図５は、この考案の実施例２の保冷体収納部付紙箱の蓋の展開図である。図６は、この考案の実施例２の保冷体収納部付紙箱の蓋を裏返した斜視図である。
【００３２】
この実施例２では、図４に示すように、紙箱Ｃの蓋２３と蓋２３以外の紙箱本体２４部分を別体に設け、蓋２３の四方の端縁を夫々垂下させて周壁２３ａとして設け、前記紙箱本体２４の上面の開口部には、前記実施例１の折り込み舌片１１、１４、１８は無く、この開口部に前記蓋２３を被せるものである。
【００３３】
この実施例２の蓋２３は、図５に示すように、長方形状の基板２５の後端縁に折り目アを介して第一折り込み片２６を設け、この第一折り込み片２６の左右端縁に折り目ス、セを介して折り込み舌片２６ａを夫々設け、前記第一折り込み片２６の後端縁に折り目イを介して第二折り込み片２７を設け、この第二折り込み片２７の後端縁に折り目ウを介して第三折り込み片２８を設けている。
【００３４】
前記基板２５の前端縁に折り目エを介して第一折り込み片２９を設け、この第一折り込み片２９の左右端縁に折り目ソ、タを介して折り込み舌片２９ａを夫々設け、前記第一折り込み片２９の前端縁に折り目オを介して第二折り込み片３０を設け、この第二折り込み片３０の前端縁に折り目カを介して、前記基板２５と同形で少し小さい大きさの折り込み板３１を設けている。
【００３５】
この折り込み板３１には、前記実施例１と同様に、当該折り込み板３１の略中央部に、横長にＵ字型の切り込みを設け、この切り込みに囲まれた箇所によって板片３２を形成し、この板片３２上に二つの透孔３３を並設して、この板片３２の端縁の中央に半円形状の切り欠き３４を設けている。
【００３６】
また、前記基板２５の左端縁に折り目キを介して第一折り込み片３６を設け、この第一折り込み片３６の左端縁に折り目クを介して第二折り込み片３７を設け、この第二折り込み片３７の左端縁に折り目ケを介して第三折り込み片３８を設け、前記基板２５の右端縁に折り目コを介して第一折り込み片３９を設け、この第一折り込み片３９の右端縁に折り目サを介して第二折り込み片４０を設け、この第二折り込み片４０の右端縁に折り目シを介して第三折り込み片４１を設けている。
【００３７】
続いて、この蓋２３を折り込んで組立てる。
後側、左右側の第一折り込み片２６、３６、３９、第二折り込み片２７、３７、４０、第三折り込み片２８、３８、４１を折り目ア、キ、コ、イ、ク、サ、ウ、ケ、シにより、山折り、山折り、谷折りの順で折り込む、そして、第一折り込み片２６、３６、３９と第二折り込み片２７、３７、４０を立設し、折り込んだ第三折り込み片２８、３８、４１を基板２５上に重合させる。
【００３８】
この時、各折り込み舌片２６ａを折り目ス、セによって折り、左右側の第一折り込み片３６、３９、第二折り込み片３７、４０の端部の隙間に差し込んで、後側、左右側の周壁２３ａを接続する。
【００３９】
そして、前側の第一折り込み片２９、第二折り込み片３０、折り込み板３１を同様にして、山折り、谷折りの順に折り込んで、当該折り込み板３１を基板２５上に折り込んで重ね、当該折り込み板３１を、前記後側及び左右側の第一折り込み片２６、３６、３９と第二折り込み片２７、３７、４０によって形成された三方の周壁２３ａの間に嵌め入れ、当該折り込み板３１の三方の周端縁を各第三折り込み片２８、３８、４１の下に差し入れて係合する。
【００４０】
また、この時、各折り込み舌片２９ａを折り目ソ、タによって折り込み、左右側の第一折り込み片３６、３９、第二折り込み片３７、４０の端部の隙間に差し込んで、前側、左右側の周壁２３ａを接続する。
【００４１】
これにより、図６に示すように、前記基板２５の四方の外周端縁に周壁２３ａを形成して、蓋２３を形成する。これにより、蓋２３の前記折り込み板３１の切り込みは、逆Ｕ字型となり、この逆Ｕ字型の切り込みに囲まれた板体３２の内側に保冷体収納部３５が形成される。
【００４２】
この蓋２３の保冷体収納部３５に、図４に示すように、前記実施例１と同様にして保冷体Ｂを挿入、挟持した後、この蓋２３を、前記紙箱本体２４の開口部に被せる。
【実施例３】
【００４３】
さらに、この考案の実施例３を説明する。
図７は、この考案の実施例３の保冷体収納部付紙箱の蓋４２において、後述する蓋本体４２ａに、横長のＵ字型切り込みを設けた板体４２ｂを嵌め入れることを示す分解斜視図である。この実施例３は、横長のＵ字型切り込みを設けた板体４２ｂとそれ以外の蓋本体４２ａとを別体として設けたものである。その他の構成、例えば、保冷体収納部４３の構成等は、前記実施例１、２と同じである。
【００４４】
この実施例３では、前記実施例２における蓋２３の形成の仕方とほとんど同様である。前記実施例２では、前側の第二折り込み片３０に続いて折り込み板３１を設けているが、この実施例３では、前側の各折り込み片を、後側、左側、右側の各折り込み片と同様に形成し、折り込み板３１を連設していない。
【００４５】
そして、前側、後側、左側、右側の各折り込み片を折り込み、立設して基板の四方の外周端縁に周壁４２ｃを形成しておき、その後、別途設けた横長のＵ字型の切り込みを設けた一枚の板体４２ｂを前記周壁４２ｃに囲まれた中に嵌め入れ、当該板体４２ｂの四方の周端縁を、前記実施例２と同様に、各第三折り込み片の下に差し入れて係合する。この様にして、実施例３の蓋４２を形成する。この蓋４２を、前記実施例２と同様にして、前記紙箱本体の開口部に被せる。
【００４６】
前記実施例１、２では、紙箱Ａ、蓋２３の構成を具体的に記載しているが、本願発明の実施例としては、これらの紙箱Ａ、蓋２３の構成に限定するものではなく、例えば、板片４に透孔５を設けているが、これは無くともよく、また、折り込み舌片１１、１４、１８などは無くてもよい。
【００４７】
さらに、実施例１では、天板補助板２及び折り込み板３の内側部分の二箇所を貼着して天板２０を形成しているが、貼着する箇所は、これらに箇所に限るものではない。また、前記実施例１では、天板２０を、天板補助板２と、これとほぼ同形同大の折り込み板３から形成し、また、実施例２では、蓋２３を、基板２５と、これと略同形同大の折り込み板３１から形成し、また、実施例３では、蓋４２を、蓋本体４２ａと、これと略同形同大の板体４２ｂから形成しているが、これらの天板２０、蓋２３及び蓋４２は、略同形同大の二枚の板体から構成されなくてもよく、下方の板体は、上方の板体よりやや小さくても良い。要は、保冷体収納部２２、３５、４３を形成して、保冷体Ｂを挿入、挟持出来る形状及び大きさであれば良い。
【図面の簡単な説明】
【００４８】
【図１】この考案の実施例１の保冷体収納部付紙箱の天板を開け、横長に逆Ｕ字型の切り込みによって形成した保冷体収納部に保冷体を挿入、挟持した状態の斜視図である。
【図２】この考案の実施例１の保冷体収納部付紙箱の展開図である。
【図３】この考案の実施例１の保冷体収納部付紙箱の天板を開けた状態の斜視図である。
【図４】この考案の実施例２の保冷体収納部付紙箱の蓋を開け、切り込みによって形成した保冷体収納部に保冷体を挿入、挟持した状態の斜視図である。
【図５】この考案の実施例２の保冷体収納部付紙箱の蓋の展開図である。
【図６】この考案の実施例２の保冷体収納部付紙箱の蓋を裏返した斜視図である。
【図７】この考案の実施例３の保冷体収納部付紙箱の蓋を裏返した分解斜視図である。
【図８】この考案の実施例１の他の態様で、保冷体収納部付紙箱の天板を開け、保冷体収納部内に保冷体を挿入、挟持した状態の斜視図である。
【符号の説明】
【００４９】
Ａ    紙箱          Ｂ    保冷体
１    後側板        ２    天板補助板      ３    折り込み板
４    板片          ５    透孔            ６    切り欠き
７    折り込み舌片  ８    貼着片          ９    底片
１０    右側板      １１    折り込み舌片  １２    底片
１３    前側板      １４    折り込み舌片  １５    切り込み
１６    底片        １７    左側板        １８    折り込み舌片
１９    底片        ２０    天板          ２１    底板
２２    保冷体収納部  ２３  蓋            ２４    紙箱本体
２５    基板        ２６    第一折り込み片  ２７  第二折り込み片
２８    第三折り込み片  ２９  第一折り込み片  ３０  第二折り込み片
３１    折り込み板  ３２  板体            ３３    透孔
３４    切り欠き    ３５  保冷体収納部    ３６    第一折り込み片
３７    第二折り込み片  ３８  第三折り込み片  ３９  第一折り込み片
４０    第二折り込み片  ４１  第三折り込み片  ４２  蓋
４３    保冷体収納部    ４５  保冷体収納部
【図１】
0003140299.tif 000003
【図２】
0003140299.tif 000004
【図３】
0003140299.tif 000005
【図４】
0003140299.tif 000006
【図５】
0003140299.tif 000007
【図６】
0003140299.tif 000008
【図７】
0003140299.tif 000009
【図８】
0003140299.tif 000010